(57)【要約】      （修正有）【課題】作業者が問題を発見・解決するのを容易にし、消音室は、内部管路に設けられた消音器とともに、騒音を有効に削減することができる砂漠地域用静音型発電機ユニットを提供する。【解決手段】第一消音室、ホスト室と第二消音室からなる制御室１を含み、第一消音室はファンによって、除塵装置の排気口と連結される。第一消音室とホスト室は換気送風管６と燃焼送風管７を介して連結され、換気送風管と燃焼送風管の入口側にはそれぞれ消音器が取り付けられ、出口側には変動周波数軸流ファンが取り付けられる。ホスト室の中にはディーゼル発電機ユニット１０が設けられ、ディーゼル発電機ユニットの排気口が排気管を通じて制御室の外部に接続される。ホスト室と第二消音室との間には、その内部に軸流ファンが取り付けられた通気口が設けられ、第二消音室の頂部に排気管が配置される。【選択図】図１
0003226534.tif 000002
【実用新案登録請求の範囲】
【請求項１】
制御室を含む砂漠地域用静音型発電機ユニットであって、該制御室の内部は仕切りパネルで第一消音室、ホスト室と第二消音室により区切られ、
前記第一消音室はファンによって除塵装置の排気口と連結され、該除塵装置はサイクロン式砂塵分離器を含み、該サイクロン式砂塵分離器は、その上部の両側にそれぞれ排気口と送風口が配置され、底部に集塵管が設けられ該集塵管はサイクロン式砂塵分離器の砂塵排出口と連通し、集塵管の一端は集塵ファンに接続され、
前記第一消音室とホスト室との間は換気送風管と燃焼送風管を介して連結され、換気送風管と燃焼送風管との入口側にはそれぞれ消音器が取り付けられ、出口側にはそれぞれ変動周波数軸流ファンが取り付けられ、
ホスト室の中にディーゼル発電機ユニットが設けられ、前記ディーゼル発電機ユニットの吸気口は燃焼送風管の出口に位置合わせされ、その排煙口は排煙管を通じて制御室の外部に接続され、前記排煙管の出口に逆止弁が設けられ、
前記ホスト室と第二消音室との間には、軸流ファンが取り付けられた通気口が配置され、前記第二消音室の頂部に逆止弁を備えた排気管が設けられる、ことを特徴とする砂漠地域用静音型発電機ユニット。
【請求項２】
前記第一消音室と第二消音室の内壁にはそれぞれ、消音層が設けられる、ことを特徴とする請求項１に記載の砂漠地域用静音型発電機ユニット。
【請求項３】
前記排煙管には、消音器が配置される、ことを特徴とする請求項１に記載の砂漠地域用静音型発電機ユニット。
【請求項４】
前記排気管には、保護カバーが配置される、ことを特徴とする請求項１に記載の砂漠地域用静音型発電機ユニット。
【請求項５】
前記ホスト室の中にはさらに、給油管が配置される、ことを特徴とする請求項１に記載の砂漠地域用静音型発電機ユニット。
【請求項６】
前記ホスト室の外部には、点検ドアが配置される、ことを特徴とする請求項１に記載の砂漠地域用静音型発電機ユニット。
【考案の詳細な説明】
【技術分野】
【０００１】
本考案は、発電機ユニットの技術分野に関し、特に砂漠地域用静音型発電機ユニットに関する。
【背景技術】
【０００２】
発電機（英語名称：Generators）は、他の形態のエネルギーを電気エネルギーに変換する機器であり、水力タービン、蒸気タービン、ディーゼルエンジンや他の動力機械で駆動され、水流、気体、燃料の燃焼や原子核分裂で生じるエネルギーを機械的エネルギーに転化してから発電機に伝送し、その後、発電機によって電気エネルギーに変換するものである。発電機は、工業・農業生産、国防、技術や日常生活に広く応用されている。ディーゼルエンジン駆動発電機は、ディーゼルのエネルギーを電気エネルギーに変換する効率が高く、構造が簡単で、最も広く応用される発電機となった。
【０００３】
一般的な環境において、ディーゼル発電機ユニットは制御室に対する要求も低く、簡単な通気システムさえあればよいが、砂の多い地域で使用するディーゼル発電機にとっては、砂が発電機に侵入して装置を損傷することがないように、砂の侵入を防ぐ一定の能力が必要である。
【考案の概要】
【考案が解決しようとする課題】
【０００４】
本考案は、制御室に入る空気を濾過可能で、且つ消音室をバッファとして備え、騒音を効果的に低下させることができる砂漠地域用静音型発電機ユニットを提供する。
【０００５】
上記目的を実現するために、本考案は、砂漠地域用静音型発電機ユニットであって、内部が仕切りパネルで区切られた第一消音室、ホスト室と第二消音室からなる制御室を含む。前記第一消音室はファンによって除塵装置の排気口と連結され、該除塵装置はサイクロン式砂塵分離器を含み、該サイクロン式砂塵分離器は、その上部の両側にそれぞれ排気口と送風口が配置され、底部に集塵管が設けられ、該集塵管はサイクロン式砂塵分離器の砂塵排出口と連通し、集塵管の一端は集塵ファンに接続される。前記第一消音室とホスト室との間は換気送風管と燃焼送風管を介して連結され、換気送風管と燃焼送風管の入口側にそれぞれ消音器が取り付けられ、出口側に変動周波数軸流ファンが取り付けられる。ホスト室の中にディーゼル発電機ユニットが設けられ、前記ディーゼル発電機ユニットの吸気口は燃焼送風管の出口に位置合わせされ、その排煙口は排煙管を通じて制御室の外部に接続され、前記排煙管の出口に逆止弁が設けられ、前記ホスト室と第二消音室との間に、軸流ファンが取り付けられた通気口が配置され、前記第二消音室の頂部に逆止弁を備えた排気管が設けられる。
【０００６】
本考案の更なる技術形態として、前記第一消音室と第二消音室の内壁にはそれぞれ消音層が設けられる。
【０００７】
本考案の更なる技術形態として、前記排煙管には消音器が設けられる。
【０００８】
本考案の更なる技術形態として、前記排気管の頂部には保護カバーが設けられる。
【０００９】
本考案の更なる技術形態として、前記ホスト室の中には、さらに、給油管が設けられる。
【００１０】
本考案の更なる技術形態として、前記ホスト室の外部には、点検ドアが設けられる。
【００１１】
従来技術と比べると、本考案は、該砂漠地域用静音型発電機ユニットが制御室に入る空気の濾過ができ、且つ消音室をバッファとして備え、前記第一バッファ室を通じて空気の貯蔵ができ、バッファ時間を提供して、作業者が問題を発見・解決することを容易にし、消音室は、内部管路に設けられた消音器とともに、騒音を有効に削減し、制御室に過度の騒音を回避することができる
【図面の簡単な説明】
【００１２】
【図１】本考案の構造図である。
【図２】本考案の制御室の構造図である。
【図３】本考案のサイクロン式砂塵分離器の構造図である。
【考案を実施するための形態】
【００１３】
以下、本考案の実施例に関する図面を参照しながら、本考案の実施例の技術形態を明確に、かつ完全に説明するが、明らかに、これらの実施例は本考案に関する一部のみであり、全部ではない。本考案の実施例を基礎として、当業者が創造的労働をしない前提で得る他の実施例は全て、本考案の保護範囲に属するべきである。
【００１４】
図１−３を参照されたい。本考案の実施例では、砂漠地域用静音型発電機ユニットが開示され、内部が仕切りパネルで区切られた第一消音室２、ホスト室３と第二消音室４からなる制御室１を含み、前記第一消音室２はファンによって除塵装置の排気口と連結され、該除塵装置はサイクロン式砂塵分離器５を含み、該サイクロン式砂塵分離器５は、その上部の両側にそれぞれ排気口と送風口が配置され、底部に集塵管５０１が設けられ、集塵管５０１はサイクロン式砂塵分離器５の砂塵排出口と連通し、集塵管５０１の一端は集塵ファン５０２に接続される。前記サイクロン式砂塵分離器５は、砂塵を含む空気を濾過・分離した後、前記第一消音室２に送入することができ、
前記第一消音室２とホスト室３とは換気送風管６と燃焼送風管７を介して連結され、換気送風管６と燃焼送風管７の入口側にそれぞれ消音器８が取り付けられ、出口側に変動周波数軸流ファン９が取り付けられる。ホスト室３の中にディーゼル発電機ユニット１０が設けられ、前記ディーゼル発電機ユニット１０の吸気口は燃焼送風管７の出口に位置合わせされ、その排煙口は排煙管１１を通じて制御室１の外部に接続され、前記排煙管１１の出口に逆止弁が設けられる。
【００１５】
前記ホスト室３と第二消音室４との間には、軸流ファンが取り付けられた通気口１２が配置され、前記第二消音室４の頂部に逆止弁を備えた排気管１３が設けられる。
【００１６】
上記のように、前記第一消音室２と第二消音室４の内壁にはそれぞれ消音層が設けられる。
【００１７】
上記のように、前記排煙管１１には、消音器８が設けられる。
【００１８】
上記のように、前記排気管の頂部には保護カバーが設けられる。
【００１９】
上記のように、前記ホスト室３の中には、内部の発電機ユニットに給油するための給油管が設けられる。
【００２０】
上記のように、前記ホスト室３の外部には、点検ドアが配置される。
【００２１】
本考案の動作原理は以下の通りである。まず、外部の空気を、サイクロン式砂塵分離器５を提示して分離させ、その後、第一消音室２に入った分離後の清潔な空気は前記第一消音室２にて、バッファ消音と貯蔵という二種類の作用を受けて、サイクロン式砂塵分離器５のさまざまな原因による分離効率の低下が引き起こす空気摂取の不足を回避し、その内部に貯蔵された空気はホスト室３に空気を補充することができ、バッファ時間を提供し、作業者が問題を発見・解決するのを容易にする。
【００２２】
ホスト室３は、換気送風管６と燃焼送風管７を介して通気と燃焼のために送風し、ディーゼル発電機１０による排気は管路から制御室１の外へ排出され、正常の通気や放熱で排出される空気は第二消音室４に入って、バッファ消音を受けた後排気管１３から排出される。
【図１】
0003226534.tif 000003
【図２】
0003226534.tif 000004
【図３】
0003226534.tif 000005